(57)【要約】【課題】液晶表示装置の操作者の利便性を担保しつつ、液晶表示装置の焼き付き現象の防止又は回復を図ることができる液晶表示装置等を提供する。【解決手段】本発明に係る液晶表示装置は、画像を表示する液晶パネルと、前記液晶パネルの焼き付きに対応するための所定の画像の表示を制御する表示制御部とを備える。液晶表示装置は、前記所定の画像を表示するための複数の表示モードから、いずれかの表示モードの選択を受け付ける選択受付部を備え、前記表示制御部は、前記選択受付部で選択された表示モードに基づいて、前記所定の画像の表示を制御する。【選択図】図１
2019032366.tif 000002
【特許請求の範囲】
【請求項１】
画像を表示する液晶パネルと、
前記液晶パネルの焼き付きに対応するための所定の画像の表示を制御する表示制御部と
を備える液晶表示装置であって、
前記所定の画像を表示するための複数の表示モードから、いずれかの表示モードの選択を受け付ける選択受付部を備え、
前記表示制御部は、前記選択受付部で選択された表示モードに基づいて、前記所定の画像の表示を制御するようにしてある
ことを特徴とする液晶表示装置。
【請求項２】
前記複数の表示モードは、前記所定の画像の表示を、前記表示モードを選択した後から自装置の電源がオフになるまでの間に開始する第１モード、及び前記電源がオフになった後に開始する第２モードを含む
ことを特徴とする請求項１に記載の液晶表示装置。
【請求項３】
前記液晶パネルに光を供給する光源モジュールを備え、
前記複数の表示モードは、前記所定の画像の表示する場合、前記光源モジュールを点灯する光源点灯モード及び前記光源モジュールを消灯する光源消灯モードを含む
ことを特徴とする請求項１又は請求項２に記載の液晶表示装置。
【請求項４】
前記表示制御部は、前記第１モードが選択された場合、前記光源点灯モードと組み合わせ、前記第２モードが選択された場合、前記光源消灯モードと組み合わせて、前記所定の画像の表示を制御するようにしてある
ことを特徴とする請求項３に記載の液晶表示装置。
【請求項５】
前記所定の画像は、白色を全面表示する画像である
ことを特徴とする請求項１から請求項４のいずれか一つに記載の液晶表示装置。
【請求項６】
前記複数の表示モードは、
前記画像を表示する液晶パネルの画面を複数の領域に分割し、いずれかの領域には、前記所定の画像を表示し、他の領域には、前記所定の画像以外の画像を表示するマルチ画面モードを含む
ことを特徴とする請求項１から請求項５のいずれか一つに記載の液晶表示装置。
【請求項７】
前記複数の表示モードは、前記所定の画像の表示を開始する時刻を設定するオンタイマーモードを含み、
前記表示制御部は、前記オンタイマーモードで設定された時刻に基づいて、前記所定の画像の表示を制御するようにしてある
ことを特徴とする請求項１から請求項６のいずれか一つに記載の液晶表示装置。
【請求項８】
前記表示制御部は、前記所定の画像を表示する場合、前記所定の画像の表示を開始した時点からの経過時間又は前記所定の画像の表示を終了させるまでの残時間に関する情報を、前記所定の画像に重畳して表示するようにしてある
ことを特徴とする請求項１から請求項７のいずれか一つに記載の液晶表示装置。
【請求項９】
前記液晶パネルに光を供給する光源モジュールを備え、
前記表示制御部は、前記所定の画像を表示する場合、前記光源モジュールの発光輝度を最大にして点灯するようにしてある
ことを特徴とする請求項１から請求項８のいずれか一つに記載の液晶表示装置。
【請求項１０】
請求項１から請求項９のいずれか一つに記載の液晶表示装置を備えた液晶テレビジョン受信装置。
【発明の詳細な説明】
【技術分野】
【０００１】
本発明は、液晶表示装置及び液晶テレビジョン受信装置に関する。
【背景技術】
【０００２】
近年、テレビジョン受信装置又はディスプレイ装置等の表示装置は、液晶を用いた液晶表示装置（liquid crystal display：ＬＣＤ）が広く普及している。
液晶表示装置において、長時間に亘って同じ画像又は特定のパターンを表示した場合、特定の箇所において、液晶の分子の配列構造が固定化してしまい、その周囲の表示部とコントラスト又は色彩等が異なってしまう現象、いわいる焼き付き現象が発生することがある。
【０００３】
特許文献１には、液晶表示装置の焼き付き現象の防止及び回復を図ることを目的として、市松模様等の暗表示と明表示がそれぞれ密集することなく混在するパターンを表示画面に表示する制御手段を備えた液晶表示装置が開示されている。
【先行技術文献】
【特許文献】
【０００４】
【特許文献１】特開平１０−１０４９６号公報
【発明の概要】
【発明が解決しようとする課題】
【０００５】
特許文献１の記載の液晶表示装置は、液晶表示装置がスリープモード状態に遷移した場合、又は液晶表示装置の操作者が操作する外部スイッチのオンによって、市松模様等を表示する制御を行うようにしてある。なお、スリープモード状態への遷移は、例えば、液晶表示装置に接続されたコンピュータに対し、操作者の操作がされていない状態が、所定時間を超えた場合、実施されるものである。
【０００６】
従って、特許文献１の記載の液晶表示装置は、市松模様等を表示するための操作者の操作としては、外部スイッチのオンのみであり、操作者の使用態様に対応した様々の表示の制御を、操作者の操作によって選択することができない。このため、特許文献１の記載の液晶表示装置は、液晶表示装置の操作者の利便性に欠くという問題がある。
【０００７】
本発明は、斯かる事情に鑑みてなされたものであり、液晶表示装置の操作者の利便性を担保しつつ、液晶表示装置の焼き付き現象の防止又は回復を図ることができる液晶表示装置等を提供することを目的とする。
【課題を解決するための手段】
【０００８】
本発明に係る液晶表示装置は、画像を表示する液晶パネルと、前記液晶パネルの焼き付きに対応するための所定の画像の表示を制御する表示制御部とを備える液晶表示装置であって、前記所定の画像を表示するための複数の表示モードから、いずれかの表示モードの選択を受け付ける選択受付部を備え、前記表示制御部は、前記選択受付部で選択された表示モードに基づいて、前記所定の画像の表示を制御するようにしてあることを特徴とする。
【発明の効果】
【０００９】
本発明によれば、液晶表示装置の操作者の利便性を担保しつつ、液晶表示装置の焼き付き現象の防止又は回復を図ることができる液晶表示装置等を提供することが可能となる。
【図面の簡単な説明】
【００１０】
【図１】実施形態１に係る液晶表示装置の構成を示すブロック図である。
【図２】選択受付画面のメイン画面の一例を示す説明図である。
【図３】光源点灯／消灯モードの操作画面の一例を示す説明図である。
【図４】マルチ画面モードの操作画面の一例を示す説明図である。
【図５】オンタイマーモードの操作画面の一例を示す説明図である。
【図６】実施形態１に係る処理手順を示すフローチャートである。
【図７】第１モードの焼き付き対応を行う場合の説明図である。
【図８】第２モードの焼き付き対応を行う場合の説明図である。
【図９】実施形態２に係る処理手順を示すフローチャートである。
【図１０】実施形態３に係る処理手順を示すフローチャートである。
【図１１】実施形態４に係る液晶表示装置の構成を示すブロック図である。
【発明を実施するための形態】
【００１１】
（実施形態１）
以下、本発明をその実施形態を示す図面に基づいて詳述する。図１は、実施形態１に係る液晶表示装置１の構成を示すブロック図である。本発明に係る液晶表示装置１は、制御部２、記憶部３、時計部４、電源部１２、表示部５、信号処理部６、デコーダ部７、チューナ部８及び外部入力部９を備えた液晶テレビジョン受信装置である。ただし、液晶表示装置１は、液晶テレビジョン受信装置に限定されず、外部入力部９から入力された映像信号を表示するディスプレイ装置を含む。
【００１２】
制御部２は、ＣＰＵ（Central Processing Unit）又はＭＰＵ（Micro Processing Unit）から構成され、上述した各部を直接又は間接的に制御し、記憶部３に記憶してある制御プログラム３Ｐ及びデータを読み出して実行することにより、種々の制御処理及び演算処理等を行う。制御部２は、制御プログラム３Ｐを実行することによって、後述する表示制御部及び選択受付部に相当する。時計部４は、計時機能を有し、日付及び時刻に関する情報を制御部２に出力する。
【００１３】
記憶部３は、ＲＯＭ（Read Only Memory）、ＥＥＰＲＯＭ（Electrically Erasable Programmable ROM）又はフラッシュメモリ等の不揮発性のメモリ素子により構成してあり、制御プログラム３Ｐ及び処理時に参照するデータがあらかじめ記憶してある。記憶部３に記憶された制御プログラム３Ｐは、液晶表示装置１が読み取り可能な記録媒体から読み出された制御プログラム３Ｐを記憶したものであってもよい。
【００１４】
チューナ部８は、図示しないアンテナに接続され、放送局から送信された映像音声信号を受信及び復調し、図示しないセレクタ部を介してデコーダ部７に出力する。
【００１５】
外部入力部９は、例えばビデオ又はＤＶＤ等の再生機器が接続され、再生機器が出力した映像音声信号を図示しないセレクタ部を介してデコーダ部７に出力する。
【００１６】
デコーダ部７は、入力された映像音声信号を映像信号、ＥＰＧ信号及び音声信号に分離し、夫々の信号を復号する。デコーダ部７は、復号した夫々の信号を信号処理部６に出力する。
【００１７】
信号処理部６は、デコーダ部７が出力した復号された映像信号及びＥＰＧ信号を処理し、表示部５に表示すべき映像に係る信号を生成し、表示部５へ出力する。また、信号処理部６は、制御部２から出力された映像に関する制御信号に基づいて、表示部５に表示すべき映像に係る信号を生成し、表示部５へ出力する。
【００１８】
表示部５は、映像を表示する液晶パネル５１と、液晶パネル５１に光を供給する光源モジュール５２を備える。液晶パネル５１と光源モジュール５２は、表示面側から見て、この順番で配置してある。光源モジュール５２は、液晶パネル５１の背面から光を供給する。
【００１９】
液晶パネル５１は、対向する一対の基板の間に液晶が封印してあり、走査電極群と情報電極群に電圧を印加することによって、液晶の分子の配列構造（配向方向）を変更するように構成されている。液晶の分子の配列構造が変更することによって、入射した光を施光し出射又は光の遮断が行われる。液晶の分子の配向がＴＮ（Twisted Nematic）モードである場合、配向がラビング方向と平行となると光が通過し、白を表示する。配向がラビング方向と垂直となると光は透過しないため、黒を表示する。液晶パネル５１は、信号処理部６が出力した映像に係る信号に基づき、当該映像を表示する。
【００２０】
光源モジュール５２は、液晶パネル５１の背面側に配置しており、背面から光を供給して液晶パネル５１を照明する。光源モジュール５２は、直下型及びエッジライト型を含む。直下型の光源モジュール５２は、ＬＥＤ（light emitting diode）等の光源が一面に実装された光源基板を、液晶パネル５１の背面に配置して構成してある。エッジライト型の光源モジュール５２は、液晶パネル５１の背面に導光板が配置してあり、ＬＥＤ等の光源を一面に実装した光源基板を、導光板の側面に対向して配置して構成してある。光源モジュール５２は、制御部２から出力された輝度に関する制御信号に基づいて、光源の発光輝度を調整し発光する。
【００２１】
電源部１２は、図示しない商用電源等の外部電源から供給された電力を直流化又は変圧し、図示しない電力線を介して、上述した各部に対し電力を供給する。また、制御部２からの電源のオン又はオフに関する制御信号に基づいて、液晶表示装置１の電源のオン又はオフの切り換えを行う。電源がオフの状態は、商用電源から電力の供給を完全に遮断した状態及び待機状態を含む。待機状態とは、液晶表示装置１の操作者からの操作を待ち受けている状態又は所定時刻となったら予め設定してある制御を実行するために待機しているスリープ状態等であって、不要な電力消費をカットして消費電力を抑制している状態である。
【００２２】
液晶表示装置１は、液晶表示装置１の操作者によって操作される操作部１１、及び操作部１１から送信された操作信号を受信する操作信号受信部１０を備える。操作部１１は、操作者の操作によって押下されるボタン、スイッチ等を含む入力部（図示せず）及び入力された操作に関する情報を無線信号等の信号によって出力するリモコンである。ただし、操作部１１は、リモコンに限定されず、液晶表示装置１自体に設けられたボタン、スイッチ等であってもよい。操作信号受信部１０は、操作部１１から出力された無線信号等の信号を受信し、制御部２に出力する。
【００２３】
液晶表示装置１は、表示制御部及び選択受付部を備える。制御部２は、表示制御部に相当し、液晶パネル５１の焼き付きに対応するための所定の画像の表示を制御する。所定の画像の表示の制御は、制御部２が制御プログラム３Ｐを実行することによって行われる。
【００２４】
液晶パネル５１の焼き付きとは、長時間に亘って同じ画像又は特定のパターンを表示した場合、特定の箇所において、液晶の分子の配列構造が固定化してしまい、その周囲の箇所とコントラスト又は色彩等が異なってしまう現象である。液晶パネル５１の焼き付きに対応するための所定の画像とは、例えば白色を全面表示する画像である。白色を全面表示する画像を所定時間、表示することにより、液晶パネル５１の焼き付きを防止又は回復させることができる。所定の画像を表示する所定時間は、例えば４時間である。なお、所定の画像を表示する所定時間は、操作者の操作によって選択できるようにしてあってもよい。
【００２５】
制御部２は、白色を全面表示する画像等の所定の画像を表示させる制御信号を、信号処理部６に出力する。信号処理部６は、当該制御信号に基づいて、表示部５の液晶パネル５１に所定の画像を表示する。制御部２は、所定の画像の表示に連動して、発光輝度を最大にする制御信号を、光源モジュール５２に出力する。光源モジュール５２は、当該制御信号に基づいて、発光輝度を最大又は略最大にしてＬＥＤ等の光源を発光させる。発光輝度を最大又は略最大とすることで、液晶パネル５１の焼き付きを防止又は回復の効果を向上させることができる。なお、発光輝度の程度は、常に最大とするのでなく、操作者の操作によって選択できるようにしてあってもよい。
【００２６】
選択受付部は、液晶パネル５１の焼き付きに対応するための所定の画像の表示するための複数の表示モードを備え、操作者がいずれかの表示モードを選択可能にしてある。選択受付部は、制御部２が制御プログラム３Ｐを実行することによって行われる。操作者による選択を受け付けるための選択受付画面は、操作者による操作部１１の操作によって、表示部５に表示される。
【００２７】
図２は、選択受付画面のメイン画面の一例を示す説明図である。図３は、光源点灯／消灯モードの操作画面の一例を示す説明図である。図４は、マルチ画面モードの操作画面の一例を示す説明図である。図５は、オンタイマーモードの操作画面の一例を示す説明図である。
【００２８】
所定の画像の表示するための複数の表示モードは、操作者が選択した後にすぐに所定の画像の表示を開始する第１モード、及び液晶表示装置１の電源がオフになった後に開始する第２モードを含む。第１モードは、操作者が選択した後にすぐに所定の画像の表示を開始するため、操作者は、所定の画像の表示が開始された後は、チューナ部８等が受信した通常の映像を視聴することができないが、早期に所定の画像の表示を開始することによって、早期に焼き付きの防止又は回復を行うことができる。
【００２９】
第２モードは、液晶表示装置１の電源がオフになった後に、所定の画像の表示を開始するため、操作者が液晶表示装置１の視聴を終了した後に所定の画像の表示を開始することができる。従って、操作者の視聴の要求を満たしつつ、焼き付きの防止又は回復を行うことができる。液晶表示装置１の電源がオフの状態は、待機状態を含む。制御部２は、所定の画像の表示を終了した後、液晶表示装置１を商用電源からの電力の供給を遮断した状態にしてもよい。
【００３０】
図２に示す如く、選択受付画面は、第１モード及び第２モードの選択ボタンを表示し、操作者による選択を可能とするようにしてある。選択受付画面には、所定の画像の表示を実施しないＯｆｆモードが選択できるようにしてあってもよい。選択受付画面は、所定の画像を表示する時間の設定ができるようにしてあってもよい。
【００３１】
所定の画像の表示するための複数の表示モードは、光源点灯モード、光源消灯モード、マルチ画面モード及びオンタイマーモードを含む。図２に示す如く、選択受付画面に、開始オプションボタンを設け、開始オプションボタンを押下することによって、サブメニューとして、光源点灯モード、光源消灯モード、マルチ画面モード及びオンタイマーモードが選択可能なようにしてある。ただし、画面構成はこれに限定されず、選択受付画面に、全ての表示モードをメニュー表示し、選択可能なように構成してあってもよい。
【００３２】
図３に示す如く、光源点灯／消灯モードの操作画面は、光源点灯モード又は光源消灯モードを選択可能なようにトルグスイッチを表示し、操作者による選択を可能とするようにしてある。光源点灯モードを選択した場合、制御部２は、所定の画像の表示に連動させて、光源モジュール５２の光源を点灯させる。光源を点灯させることで、焼き付きの防止又は回復の効果を向上させることができる。光源消灯モードを選択した場合、制御部２は、所定の画像の表示に連動させて、光源モジュール５２の光源を消灯させる。光源を消灯させることで、消費電力を低減させることができる。
【００３３】
光源点灯モード又は光源消灯モードを選択することなく、制御部２は、上述の第１モードを選択した場合、光源点灯モードを併せて実行し、第２モードを選択した場合、光源消灯モードを併せて実行するようにしてもよい。第１モードが選択された場合、光源点灯モードと組み合わせることによって、操作者は、所定の画像の表示が実行中であることを容易に視認することができる。一方、第２モードが選択された場合は、表示装置の電源スイッチがオフであり、液晶表示装置１を使用する意図は、操作者にないため、光源消灯モードとすることで、消費電力を抑制することができる。従って、操作者の意図に応じた適切な表示モードを自動的に組み合わせて、所定の画像の表示を制御することができる。光源点灯／消灯モードの操作画面に、発光輝度の選択部を設け、光源点灯モードの選択に併せて、発光輝度を所定の輝度で選択できるようにしてあってもよい。
【００３４】
図４に示す如く、マルチ画面モードの操作画面は、マルチ画面モードの表示態様を選択可能なように、選択ボタンを設け、操作者による選択を可能とするようにしてある。マルチ画面モードとは、液晶パネル５１が映像を表示する表示領域を所定数で区分し、区分されたいずれかの領域にて、チューナ等からの映像信号による通常の画面（視聴画面）の表示を行い、残部の領域は、焼き付きに対応するための所定の画像を表示するモードである。焼き付きに対応するための所定の画像を表示している間であっても、視聴画面の表示は行われるので、操作者の視聴の要求を満たすことができる。
【００３５】
制御部２は、選択されたマルチ画面モードの表示態様に基づいて、いずれかの領域で視聴画面を表示し、残部の領域に焼き付きに対応するための所定の画像を表示する制御を行う。マルチ画面モードの表示態様は、例えば、表示領域を４つに区分し、視聴画面を左右上下のいずれかに固定する態様、又は視聴画面を左右上下の領域にて一定時間移動（ローテーション）させる態様を含む。ただし、マルチ画面モードの表示態様は、これに限定されず、２分割又は６分割等の任意の分割数としてもよい。
【００３６】
図５に示す如く、オンタイマーモードの操作画面は、焼き付きに対応するための所定の画像の表示を開始する時刻を設定するための時刻情報の入力部を設けてある。制御部２は、設定された時刻情報に基づいて、焼き付きに対応するための所定の画像の表示を開始する。焼き付きに対応するための所定の画像の表示を開始する時刻を、例えば深夜に設定することによって、操作者が液晶表示装置１を視聴しない時間帯に所定の画像の表示することができ、操作者の利便性を向上させることができる。また、深夜に所定の画像の表示することによって、安価な深夜電力料を利用することができる。
【００３７】
時刻情報は、時分に限定されず、年月日の日付に関する情報も含む。オンタイマーモードの操作画面には、年月日の日付に関する情報についても設定が可能なように構成してあってもよい。制御部２は、設定された時刻情報に基づいて、例えば、毎日曜日等、定期的に焼き付きに対応するための所定の画像の表示を開始してもよい。オンタイマーモードの操作画面には、設定された開始時刻に基づいて、所定の画像が表示される時間を加算した終了の予定時刻を表示するように構成してあってもよい。
【００３８】
制御部２は、選択受付画面で選択可能にしてある複数の表示モードを、相反しないように組み合わせて、所定の画像を表示する制御を行う。選択受付画面の表示は、表示部５における表示に限定されず、例えば、液晶表示装置１と通信可能な携帯端末（図示せず）に選択受付画面の表示をさせ、携帯端末の選択受付画面上で選択した表示モードを液晶表示装置１に送信してもよい。又は、制御部２は、外部ネットワーク（図示せず）を介して、液晶表示装置１と通信可能に接続してあるサーバ（図示せず）と通信し、サーバ側で設定された表示モードを取得することによって、所定の画像を表示する制御を行ってもよい。
【００３９】
図６は、実施形態１に係る処理手順を示すフローチャートである。図７は、第１モードの焼き付き対応を行う場合の説明図である。図８は、第２モードの焼き付き対応を行う場合の説明図である。制御部２は、操作者によって選択受付画面の起動操作が行われたか否かを判定する（Ｓ１１）。操作者による選択受付画面の起動操作は、例えば操作部１１の所定のボタンの押下等によって、実行される。制御部２は、起動操作が行われていないと判定した場合（Ｓ１１：ＮＯ）、再度Ｓ１１の判定を行うべくループ処理を行う。
【００４０】
制御部２は、起動操作が行われたと判定した場合（Ｓ１１：ＹＥＳ）、焼き付きに対応するための所定の画像の表示の表示モードを選択する選択受付画面を、表示部５に表示する（Ｓ１２）。制御部２は、操作者からの選択操作を受付け、第１モードが選択されたか否かを判定する（Ｓ１３）。
【００４１】
制御部２は、第１モードが選択された場合（Ｓ１３：ＹＥＳ）、図７に示す如く、焼き付きに対応するための所定の画像を表示すると共に、光源モジュール５２を最大の発光輝度で点灯する（Ｓ１４）。制御部２は、所定の画像に、例えば、所定の画像を表示する残時間に関する情報を、重畳させて表示する（Ｓ１５）。残時間は、所定の画像の表示を終了するまでの時間であり、予め設定してある所定の画像の表示を行う所定の時間から、表示を開始し現在に至る経過時間を、減算した時間である。制御部２は、時計部４から出力された時刻に関する情報に基づき、残時間を導出し、表示する。又は、制御部２は、所定の画像の表示を終了する時刻を、表示してもよい。制御部２は、所定の時間が経過したか否かを判定する（Ｓ１６）。所定の時間は、焼き付きに対応するための所定の画像を表示する時間であり、例えば４時間である。
【００４２】
制御部２は、所定の時間が経過していないと判定した場合（Ｓ１６：ＮＯ）、所定の画像の表示を継続し、再度Ｓ１５の処理を行うべくループ処理を行う。制御部２は、所定の時間が経過したと判定した場合（Ｓ１６：ＹＥＳ）、所定の画像の表示を終了する（Ｓ１７）。所定の画像の表示を終了した後、制御部２は、表示部５に視聴画面を表示する。又は、制御部２は、液晶表示装置１の電源をオフにしてもよい。
【００４３】
制御部２は、第１モードが選択されなかった場合（Ｓ１３：ＮＯ）、すなわち第２モードが選択された場合、制御部２は、液晶表示装置１の電源がオフであるか否かを判定する（Ｓ１３１）。液晶表示装置１の電源がオフの状態とは、待機状態を含む。制御部２は、電源がオフでないと判定した場合（Ｓ１３１：ＮＯ）、再度Ｓ１３１の判定を行うべくループ処理を行う。
【００４４】
制御部２は、電源がオフであると判定した場合（Ｓ１３１：ＹＥＳ）、図８に示す如く、所定の画像を表示し、光源モジュール５２を消灯する（Ｓ１３２）。制御部２は、所定の時間が経過したか否かを判定する（Ｓ１３３）。
【００４５】
制御部２は、所定の時間が経過していないと判定した場合（Ｓ１３３：ＮＯ）、所定の画像の表示を継続し、再度Ｓ１５の判定を行うべくループ処理を行う。制御部２は、所定の時間が経過したと判定した場合（Ｓ１３３：ＹＥＳ）、所定の画像の表示を終了する（Ｓ１７）。所定の画像の表示を終了した後、制御部２は、液晶表示装置１の電源をオフにする。
【００４６】
（実施形態２）
図９は、実施形態２に係る処理手順を示すフローチャートである。実施形態２は、マルチ画面モードによって、焼き付きに対応するための所定の画像の表示する点で、実施形態１と異なる。制御部２は、実施形態１のＳ１１及びＳ１２の処理と同様に、選択受付画面の起動操作の判定（Ｓ２１）及び選択受付画面の表示（Ｓ２２）を行う。
【００４７】
制御部２は、例えば、図２に示す如く選択受付画面上の開始オプションボタンの押下等の操作者の操作に応じて、マルチ画面モードの操作画面（選択受付画面）を表示する（Ｓ２３）。制御部２は、操作者によるマルチ画面モードの表示態様の選択を受け付ける（Ｓ２４）。制御部２は、選択されたマルチ画面モードの表示態様に基づいて、焼き付きに対応するための所定の画像の表示しつつ、区分されたいずれかの表示領域にて、チューナ等からの映像信号による通常の画面（視聴画面）の表示を行う（Ｓ２５）。
【００４８】
制御部２は、実施形態１のＳ１５の処理と同様に、所定の時間が経過したかの判定を行う（Ｓ２６）。制御部２は、所定の時間が経過していないと判定した場合（Ｓ２６：ＮＯ）、所定の画像の表示を継続し、再度Ｓ２６の判定を行うべくループ処理を行う。
【００４９】
制御部２は、所定の時間が経過したと判定した場合（Ｓ２６：ＹＥＳ）、所定の画像の表示を終了し、視聴画面を全画面で表示する（Ｓ２７）。なお、マルチ画面モードの操作画面の表示は、これに限定されず、操作者による操作部１１の所定のボタンの押下等によって、マルチ画面モードの操作画面を表示してもよい。
【００５０】
（実施形態３）
図１０は、実施形態３に係る処理手順を示すフローチャートである。実施形態３は、オンタイマーモードによって、焼き付きに対応するための所定の画像の表示する点で、実施形態１と異なる。制御部２は、実施形態１のＳ１１及びＳ１２の処理と同様に、選択受付画面の起動操作の判定（Ｓ３１）及び選択受付画面の表示（Ｓ３２）を行う。
【００５１】
制御部２は、例えば、図２に示す如く選択受付画面上の開始オプションボタンの押下等の操作者の操作に応じて、オンタイマーモードの操作画面（選択受付画面）を表示する（Ｓ３３）。制御部２は、操作者により設定された所定画面の開始時刻を受け付ける（Ｓ３４）。
【００５２】
制御部２は、設定された開始時刻に到達したか否かを判定する（Ｓ３５）。制御部２は、設定された開始時刻に到達していないと判定した場合（Ｓ３５：ＮＯ）、再度Ｓ３５の判定を行うべくループ処理を行う。制御部２は、設定された開始時刻に到達したと判定した場合（Ｓ３５：ＹＥＳ）、所定の画像を表示する（Ｓ３６）。制御部２は、所定の画像の表示に連動して、光源モジュール５２を消灯してもよい。
【００５３】
制御部２は、実施形態１のＳ１５の処理と同様に、所定の時間が経過したかの判定を行う（Ｓ３７）。制御部２は、所定の時間が経過していないと判定した場合（Ｓ３７：ＮＯ）、所定の画像の表示を継続し、再度Ｓ３７の判定を行うべくループ処理を行う。制御部２は、所定の時間が経過したと判定した場合（Ｓ３７：ＹＥＳ）、所定の画像の表示を終了し、液晶表示装置１の電源をオフにする（Ｓ３８）。制御部２は、液晶表示装置１が待機状態であっても、Ｓ３５以降の処理を実行するのは、言うまでもない。オンタイマーモードの操作画面の表示は、これに限定されず、操作者による操作部１１の所定のボタンの押下等によって、オンタイマーモードの操作画面を表示してもよい。
【００５４】
（実施形態４）
図１１は、実施形態４に係る液晶表示装置１の構成を示すブロック図である。実施形態４は、液晶表示装置１は、蓄電池１２１を備え、蓄電池１２１は、電源部１２に電力を供給するように電気的に接続してある点で、実施形態１と異なる。
【００５５】
蓄電池１２１は、バッテリー等の二次電池であり、商用電源からの電力の供給が遮断された場合、電力の遮断を検知し、液晶表示装置１に、蓄電してある電力を供給する。従って、液晶表示装置１が、商用電源からの電力の供給が遮断されている状態であっても、蓄電池１２１から供給される電力によって、焼き付きに対応するための所定の画像を表示することができる。
【００５６】
本発明に係る液晶表示装置１は、画像を表示する液晶パネル５１と、前記液晶パネルの焼き付きに対応するための所定の画像の表示を制御する表示制御部２とを備える液晶表示装置であって、前記所定の画像を表示するための複数の表示モードから、いずれかの表示モードの選択を受け付ける選択受付部２を備え、前記表示制御部２は、前記選択受付部２で選択された表示モードに基づいて、前記所定の画像の表示を制御するようにしてあることを特徴とする。
【００５７】
本発明によれば、選択受付部２は、所定の画像を表示するための複数の表示モードから、いずれかの表示モードを選択可能にしてあるので、操作者の意図に応じた適切な表示モードによって、焼き付き対応画面の表示を行うことができる。従って、操作者の利便性を担保しつつ、液晶表示装置１の焼き付き現象の防止又は回復を図ることができる。
【００５８】
本発明に係る液晶表示装置１は、前記複数の表示モードは、前記所定の画像の表示を、前記表示モードを選択した後から自装置の電源がオフになるまでの間に開始する第１モード、及び前記電源がオフになった後に開始する第２モードを含むことを特徴とする。
【００５９】
本発明によれば、操作者による液晶表示装置１の使用態様によって表示モードを選択し、所定の画像の表示を開始するタイミングを制御することができる。従って、操作者の利便性を担保しつつ、液晶表示装置１の焼き付き現象の防止又は回復を図ることができる。
【００６０】
本発明に係る液晶表示装置１は、前記液晶パネル５１に光を供給する光源モジュール５２を備え、前記複数の表示モードは、前記所定の画像の表示する場合、前記光源モジュール５２を点灯する光源点灯モード及び前記光源モジュールを消灯する光源消灯モードを含むことを特徴とする。
【００６１】
本発明によれば、所定の画像を表示させた上で、光源モジュール５２を点灯すると焼き付き現象の防止又は回復の効果を向上させることができるが、消費電力は増加する。そこで、複数の表示モードは、所定の画像の表示に連動させて、光源モジュール５２を点灯させる光源点灯モードと消灯させる光源消灯モードとを選択可能とすることによって、操作者の意図に応じた液晶表示装置１の焼き付き現象の防止又は回復を図ることができる。
【００６２】
本発明に係る液晶表示装置１は、前記表示制御部２は、前記第１モードが選択された場合、前記光源点灯モードと組み合わせ、前記第２モードが選択された場合、前記光源消灯モードと組み合わせて、前記所定の画像の表示を制御するようにしてあることを特徴とする。
【００６３】
本発明によれば、第１モードが選択された場合、光源点灯モードと組み合わせることによって、操作者は、所定の画像の表示が実行中であることを容易に視認することができる。一方、第２モードが選択された場合は、液晶表示装置１の電源スイッチがオフであり、液晶表示装置１の使用する意図は、操作者にないため、光源消灯モードとすることで、消費電力を抑制することができる。従って、操作者の意図に応じた適切な表示モードを自動的に組み合わせて、所定の画像の表示を制御することができる。
【００６４】
本発明に係る液晶表示装置１は、前記所定の画像は、白色を全面表示する画像であることを特徴とする。
【００６５】
本発明によれば、白色を全面表示する画像は、焼き付き現象の防止又は回復の効果を向上させることができる。従って、効率的に液晶表示装置１の焼き付き現象の防止又は回復を図ることができる。
【００６６】
本発明に係る液晶表示装置１は、前記複数の表示モードは、前記画像を表示する液晶パネル５１の画面を複数の領域に分割し、いずれかの領域には、前記所定の画像を表示し、他の領域には、前記所定の画像以外の画像を表示するマルチ画面モードを含むことを特徴とする。
【００６７】
本発明によれば、マルチ画面モードを操作者が選択することによって、分割されたいずれかの領域には、所定の画像を表示し、他の領域には、所定の画像以外の画像を表示することができる。従って、いずれかの領域には所定の画像を表示しつつ、他の領域には通常の映像等を表示することができ、操作者の利便性を担保しつつ、液晶表示装置１の焼き付き現象の防止又は回復を図ることができる。
【００６８】
本発明に係る液晶表示装置１は、前記複数の表示モードは、前記所定の画像の表示を開始する時刻を設定するオンタイマーモードを含み、前記表示制御部２は、前記オンタイマーモードで設定された時刻に基づいて、前記所定の画像の表示を制御するようにしてあることを特徴とする。
【００６９】
本発明によれば、オンタイマーモードを操作者が選択することによって、設定された時刻に所定の画像の表示を開始することができる。従って、例えば、深夜等の液晶表示装置１を使用しない時間に、所定の画像の表示を開始することができ、操作者の利便性を担保しつつ、液晶表示装置１の焼き付き現象の防止又は回復を図ることができる。
【００７０】
本発明に係る液晶表示装置１は、前記表示制御部２は、前記所定の画像を表示する場合、前記所定の画像の表示を開始した時点からの経過時間又は前記所定の画像の表示を終了させるまでの残時間に関する情報を、前記所定の画像に重畳して表示するようにしてあることを特徴とする。
【００７１】
本発明によれば、所定の画像が表示されている間、所定の画像の表示を開始した時点からの経過時間又は所定の画像の表示を終了させるまでの残時間を、操作者に認識させることができる。従って、操作者の利便性を担保しつつ、液晶表示装置１の焼き付き現象の防止又は回復を図ることができる。
【００７２】
本発明に係る液晶表示装置１は、前記液晶パネル５１に光を供給する光源モジュール５２を備え、前記表示制御部２は、前記所定の画像を表示する場合、前記光源モジュール５２の発光輝度を最大にして点灯するようにしてあることを特徴とする。
【００７３】
本発明によれば、所定の画像を表示させて上で、光源モジュール５２の発光輝度を最大にして点灯することで、焼き付き現象の防止又は回復の効果を向上させることができる。
【００７４】
本発明に係る液晶テレビジョン受信装置１は、本発明に係る液晶表示装置１を備えてあることを特徴とする。
【００７５】
本発明によれば、操作者の利便性を担保しつつ、液晶表示装置１の焼き付き現象の防止又は回復を図ることができる液晶テレビジョン受信装置１を提供することができる。
【００７６】
今回開示された実施形態はすべての点で例示であって、制限的なものではないと考えられるべきである。本発明の範囲は、上述した意味ではなく、特許請求の範囲によって示され、特許請求の範囲と均等の意味及び範囲内でのすべての変更が含まれることが意図される。
【符号の説明】
【００７７】
１  液晶表示装置（液晶テレビジョン受信装置）
２  制御部（表示制御部、選択受付部）
３  記憶部
３Ｐ  制御プログラム
４  時計部
５  表示部
５１  液晶パネル
５２  光源モジュール
６  信号処理部
７  デコーダ部
８  チューナ部
９  外部入力部
１０  操作信号受信部
１１  操作部
１２  電源部
１２１  蓄電池
【図１】
2019032366.tif 000003
【図２】
2019032366.tif 000004
【図３】
2019032366.tif 000005
【図４】
2019032366.tif 000006
【図５】
2019032366.tif 000007
【図６】
2019032366.tif 000008
【図７】
2019032366.tif 000009
【図８】
2019032366.tif 000010
【図９】
2019032366.tif 000011
【図１０】
2019032366.tif 000012
【図１１】
2019032366.tif 000013
【手続補正書】
【提出日】平成30年12月3日(2018.12.3)
【手続補正１】
【補正対象書類名】明細書
【補正対象項目名】０００８
【補正方法】変更
【補正の内容】
【０００８】
本発明に係る液晶表示装置は、画像を表示する液晶パネルと、前記液晶パネルの焼き付きを防止又は回復させる所定の画像の表示を制御する表示制御部とを備える液晶表示装置であって、前記所定の画像を表示するための複数の表示モードから、いずれかの表示モードの選択を受け付ける選択受付部を備え、前記表示制御部は、前記選択受付部で選択された表示モードに基づいて、前記所定の画像の表示を制御するようにしてあり、前記複数の表示モードは、前記画像を表示する液晶パネルの画面を複数の領域に分割し、いずれかの領域には、前記所定の画像を表示し、他の領域には、前記所定の画像以外の画像を表示するマルチ画面モードを含むことを特徴とする。
本発明に係る液晶表示装置は、画像を表示する液晶パネルと、前記液晶パネルの焼き付きを防止又は回復させる所定の画像の表示を制御する表示制御部とを備える液晶表示装置であって、前記所定の画像を表示するための複数の表示モードから、いずれかの表示モードの選択を受け付ける選択受付部を備え、前記表示制御部は、前記選択受付部で選択された表示モードに基づいて、前記所定の画像の表示を制御するようにしてあり、前記複数の表示モードは、前記所定の画像の表示を開始する時刻を設定するオンタイマーモードを含み、前記表示制御部は、前記オンタイマーモードで設定された時刻に基づいて、前記所定の画像の表示を制御するようにしてあることを特徴とする。
本発明に係る液晶表示装置は、画像を表示する液晶パネルと、前記液晶パネルの焼き付きを防止又は回復させる所定の画像の表示を制御する表示制御部とを備える液晶表示装置であって、前記所定の画像を表示するための複数の表示モードから、いずれかの表示モードの選択を受け付ける選択受付部を備え、前記表示制御部は、前記選択受付部で選択された表示モードに基づいて、前記所定の画像の表示を制御するようにしてあり、前記表示制御部は、前記所定の画像を表示する場合、前記所定の画像の表示を開始した時点からの経過時間又は前記所定の画像の表示を終了させるまでの残時間に関する情報を、前記所定の画像に重畳して表示するようにしてあることを特徴とする。
本発明に係る液晶表示装置は、画像を表示する液晶パネルと、前記液晶パネルの焼き付きを防止又は回復させる所定の画像の表示を制御する表示制御部とを備える液晶表示装置であって、前記液晶パネルに光を供給する光源モジュールと、前記所定の画像を表示するための複数の表示モードから、いずれかの表示モードの選択を受け付ける選択受付部とを備え、前記表示制御部は、前記選択受付部で選択された表示モードに基づいて、前記所定の画像の表示を制御するようにしてあり、前記複数の表示モードは、前記所定の画像の表示を、前記表示モードを選択した後から自装置の電源がオフになるまでの間に開始する第１モード、前記電源がオフになった後に開始する第２モード、前記所定の画像を表示する場合、前記光源モジュールを点灯する光源点灯モード及び、前記光源モジュールを消灯する光源消灯モードを含み、前記選択受付部は、前記第１モード又は前記第２モードが選択される場合、光源点灯モード又は光源消灯モードの選択を受付けることを特徴とする。
【手続補正２】
【補正対象書類名】特許請求の範囲
【補正対象項目名】全文
【補正方法】変更
【補正の内容】
【特許請求の範囲】
【請求項１】
画像を表示する液晶パネルと、
前記液晶パネルの焼き付きを防止又は回復させる所定の画像の表示を制御する表示制御部とを備える液晶表示装置であって、
前記所定の画像を表示するための複数の表示モードから、いずれかの表示モードの選択を受け付ける選択受付部を備え、
前記表示制御部は、前記選択受付部で選択された表示モードに基づいて、前記所定の画像の表示を制御するようにしてあり、
前記複数の表示モードは、前記画像を表示する液晶パネルの画面を複数の領域に分割し、いずれかの領域には、前記所定の画像を表示し、他の領域には、前記所定の画像以外の画像を表示するマルチ画面モードを含む
ことを特徴とする液晶表示装置。
【請求項２】
画像を表示する液晶パネルと、
前記液晶パネルの焼き付きを防止又は回復させる所定の画像の表示を制御する表示制御部とを備える液晶表示装置であって、
前記所定の画像を表示するための複数の表示モードから、いずれかの表示モードの選択を受け付ける選択受付部を備え、
前記表示制御部は、前記選択受付部で選択された表示モードに基づいて、前記所定の画像の表示を制御するようにしてあり、
前記複数の表示モードは、前記所定の画像の表示を開始する時刻を設定するオンタイマーモードを含み、
前記表示制御部は、前記オンタイマーモードで設定された時刻に基づいて、前記所定の画像の表示を制御するようにしてある
ことを特徴とする液晶表示装置。
【請求項３】
画像を表示する液晶パネルと、
前記液晶パネルの焼き付きを防止又は回復させる所定の画像の表示を制御する表示制御部とを備える液晶表示装置であって、
前記所定の画像を表示するための複数の表示モードから、いずれかの表示モードの選択を受け付ける選択受付部を備え、
前記表示制御部は、前記選択受付部で選択された表示モードに基づいて、前記所定の画像の表示を制御するようにしてあり、
前記表示制御部は、前記所定の画像を表示する場合、前記所定の画像の表示を開始した
時点からの経過時間又は前記所定の画像の表示を終了させるまでの残時間に関する情報を
、前記所定の画像に重畳して表示するようにしてある
ことを特徴とする液晶表示装置。
【請求項４】
前記複数の表示モードは、前記所定の画像の表示を、前記表示モードを選択した後から
自装置の電源がオフになるまでの間に開始する第１モード、及び前記電源がオフになった
後に開始する第２モードを含む
ことを特徴とする請求項１から請求項３のいずれか一つに記載の液晶表示装置。
【請求項５】
前記液晶パネルに光を供給する光源モジュールを備え、
前記複数の表示モードは、前記所定の画像の表示する場合、前記光源モジュールを点灯
する光源点灯モード及び前記光源モジュールを消灯する光源消灯モードを含む
ことを特徴とする請求項１から請求項４のいずれか一つに記載の液晶表示装置。
【請求項６】
前記複数の表示モードは、前記所定の画像の表示を、前記表示モードを選択した後から
自装置の電源がオフになるまでの間に開始する第１モード、及び前記電源がオフになった
後に開始する第２モードを含み、
前記表示制御部は、前記第１モードが選択された場合、前記光源点灯モードと組み合わ
せ、前記第２モードが選択された場合、前記光源消灯モードと組み合わせて、前記所定の
画像の表示を制御するようにしてある
ことを特徴とする請求項５に記載の液晶表示装置。
【請求項７】
前記所定の画像は、白色を全面表示する画像である
ことを特徴とする請求項１から請求項６のいずれか一つに記載の液晶表示装置。
【請求項８】
前記液晶パネルに光を供給する光源モジュールを備え、
前記表示制御部は、前記所定の画像を表示する場合、前記光源モジュールの発光輝度を
最大にして点灯するようにしてある
ことを特徴とする請求項１から請求項７のいずれか一つに記載の液晶表示装置。
【請求項９】
画像を表示する液晶パネルと、
前記液晶パネルの焼き付きを防止又は回復させる所定の画像の表示を制御する表示制御部とを備える液晶表示装置であって、
前記液晶パネルに光を供給する光源モジュールと、
前記所定の画像を表示するための複数の表示モードから、いずれかの表示モードの選択を受け付ける選択受付部とを備え、
前記表示制御部は、前記選択受付部で選択された表示モードに基づいて、前記所定の画像の表示を制御するようにしてあり、
前記複数の表示モードは、
前記所定の画像の表示を、前記表示モードを選択した後から自装置の電源がオフになるまでの間に開始する第１モード、
前記電源がオフになった後に開始する第２モード、
前記所定の画像を表示する場合、前記光源モジュールを点灯する光源点灯モード及び、
前記光源モジュールを消灯する光源消灯モードを含み、
前記選択受付部は、前記第１モード又は前記第２モードが選択される場合、光源点灯モード又は光源消灯モードの選択を受付ける
ことを特徴とする液晶表示装置。
【請求項１０】
前記選択受付部は、前記光源点灯モードの選択に併せて、発光輝度を選択できるようにしてある
ことを特徴とする請求項９に記載の液晶表示装置。
【請求項１１】
請求項１から請求項１０のいずれか一つに記載の液晶表示装置を備えた液晶テレビジョン受信装置。